(57)【要約】【課題】入所時に入所者により施設内に持ち込まれた所持品の登録を容易に行うことができ、退所時にも施設内の所持品のチェックを簡単すること。【解決手段】施設へ入所する際に、入所者の所持品に付された２次元バーコードの識別子を２次元バーコードリーダ９により読み取り、当該所持品の写真画像を取得し、当該入所者名と前記識別子と写真画像とを対応付けて登録テーブル８のエントリ２１に登録する。施設から退所する際に、退所時所持品チェックのために２次元バーコードリーダ９により所持品に付された２次元バーコードの識別子を読み取り、当該識別子に対応する所持品の写真画像を表示装置４の所持品チェックウインド５５に表示する。所持品との一致が確認されたときには、当該所持品を登録した登録テーブル８のエントリ２１を消し込む。【選択図】図２
2019125221.tif 000002
【特許請求の範囲】
【請求項１】
短期間の滞在を数次にわたり受け付ける施設内へ持ち込まれる入所者の所持品を管理する所持品管理方法において、
前記施設へ入所する際に、入所者の所持品に付された２次元バーコードの識別子をバーコードリーダにより読み取り、当該所持品の写真画像を取得し、当該入所者名と前記識別子と写真画像とを対応付けて登録テーブルのエントリに登録し、
前記施設から退所する際に、退所時所持品チェックのためにバーコードリーダにより所持品に付された２次元バーコードの識別子を読み取り、当該識別子に対応する所持品の写真画像を表示装置の所持品チェックウインドに表示し、所持品との一致が確認されたときには、当該所持品を登録した登録テーブルのエントリを消し込むことを特徴とする所持品管理方法。
【請求項２】
請求項１の所持品管理方法において、
前記施設へ入所する際に、所持品の写真画像を縮小して、登録した当該入所者の他の所持品の縮小した写真画像とともに表示装置のリストウインドに表示し、
前記施設から退所する際に、当該入所者が持ち込んだ複数の所持品について登録テーブルから読み出して当該読み出した写真画像を縮小して表示装置のリストウインドに表示し、所持品との一致が確認された所持品に対応する前記リストウインドに表示された縮小された写真画像に対して消し込みのマークを付加することを特徴とする所持品管理方法。
【請求項３】
請求項２の所持品管理方法において、
前記登録テーブルへの消し込みは、当該所持品が施設内に搬入されたことを示すフラグをリセットすることにより行い、
前記施設へ入所する際に、バーコードリーダにより読み取られた２次元バーコードの識別子が、前記登録テーブルにおいて過去の滞在で登録されたものである場合には、過去滞在時において取得された写真画像を登録テーブルから読み出して今回入所時における所持品の写真画像として取得することを特徴とする所持品管理方法。
【発明の詳細な説明】
【技術分野】
【０００１】
本発明は、短期間の滞在を数次にわたり受け付ける施設において、短期宿泊滞在する入所者の所持品を管理する所持品管理方法に関する。
【背景技術】
【０００２】
短期入所生活介護（ショートステイ）は、要介護の高齢者が数日〜３０日の短期で老人保険施設等の施設に入所できる介護保険制度の中のサービスである。このサービスにおいては、在宅介護をしている家族などの介護者が、体調不良や、急な用事で家を空けるといった理由で、一時的に介護ができなくなるなどの事態に対し、一時的に施設に要介護者が入所して介護を受けることができる。
【０００３】
入所者が施設に持ち込む物は、部屋着、就寝着、下着・靴下等の衣料の他に、タオル、身だしなみ用品、袋類、水筒、コップ、杖、めがね、補聴器、入れ歯等多種に亘り、施設側では個々の所持品に対して管理を行う。また、入所者が常時服用している薬についても管理の対象になる。薬は、入所者の居室で管理する場合もあるが、施設職員が管理することもある。他の入所者が不意に居室に入るおそれがあり、また、入所者自身の認知機能低下などにより誤用するおそれがあるからである。この場合、施設内において他の入所者が持ち込んだ薬を共同の場所に保管して管理することになる。さらに、結婚指輪などの貴金属を身につけている可能性もあり、同様な所持品管理の対象となる。施設側が貴重品として預かった場合には、共用の保管場所（例えば、金庫）での管理が求められる。
【０００４】
入所者は入所する前に各所持品に対して記名を行い、また、施設側は入所の際に所持品を記帳する。退所時には、記帳された所持品が揃っているか、紛失してないかのチェックが行われる。入所者は自ら紛失した所持品を申告できない場合があり、また、逆に持ち込んでいない物品について紛失したと主張される可能性があり、本人若しくは家族とのトラブルを避けるため、施設側は所持品の管理を怠ることができない。
【０００５】
持ち物の管理については、例えば特許文献１に開示される忘れ物防止機能付き携帯電話が知られている。このシステムによれば、２次元バーコードとＩＣタグの付いたＩＣタグシートを所持品に貼付け、２次元バーコードをカメラで読み込んでＩＤを電子化情報として取り出し、別途キー入力部から入力された所持品名と紐付けて登録することにより、以後はＩＣタグから無線で取得するＩＤを用いて所持品を特定する。キー入力部からの入力に代えて、一目で分かるような図柄で持ち物を表示したアイコンシールを用意し、これをＩＣタグシートに貼り付け、アイコンシールを画像認識して一致と判断した所持品名を入力する。登録した所持品に予め携行フラグを付けておき、携行フラグが付されているのに検出できない所持品については忘れ物として、そのアイコンシールの画像を携帯電話の画面に表示する。
【先行技術文献】
【特許文献】
【０００６】
【特許文献１】特許４２７９２４０号公報
【発明の開示】
【発明が解決しようとする課題】
【０００７】
特許文献１による携帯電話において、携行フラグを用いて老人保険施設等の施設への持ち込みを識別し、退所時に忘れ物チェックにより施設内への忘れ物が無いかを検出する応用も考えられる。しかしながら、特許文献１においては、携帯電話の画面に忘れ物として表示された「所持品名」或いは「アイコンシール」により忘れ物の有無を特定することができるが、アイコンシールは所持品の形態を表す一般的な図柄であって、個別の持ち物の特徴を表しておらず、持ち物の捜索が困難である。
【０００８】
老人保険施設等の施設においては、所持品に貼り付けた２次元バーコードのシートが、洗濯中に脱落する場合や、認知機能の低下した入所者がはぎ取ってしまうことが多い。２次元バーコードが付いてない衣服が洗濯室等で施設職員により発見されたとしても、入所者は自己の所持品の申告が困難であり、持ち主を探し出すのは容易ではない。また、捨てられた２次元バーコードが発見されても、誰のどの所持品に付けられたものであったかを施設側で特定することも難しい。入所時に施設側で個々の所持品の特徴をさらに詳しく特定して記帳しておくことによりある程度改善するが、施設職員の手間が膨大になる。
【０００９】
本発明は上記実状に鑑みて為されたもので、入所時に入所者により施設内に持ち込まれた所持品の登録を容易に行うことができ、退所時にも施設内の所持品のチェックを簡単する所持品管理方法を提供することを目的とする。
【課題を解決するための手段】
【００１０】
上記従来例の問題点を解決するための本発明の所持品管理方法は、短期間の滞在を数次にわたり受け付ける施設内へ持ち込まれる入所者の所持品を管理する所持品管理方法において、
前記施設へ入所する際に、入所者の所持品に付された２次元バーコードの識別子をバーコードリーダにより読み取り、当該所持品の写真画像を取得し、当該入所者名と前記識別子と写真画像とを対応付けて登録テーブルのエントリに登録し、
前記施設から退所する際に、退所時所持品チェックのためにバーコードリーダにより所持品に付された２次元バーコードの識別子を読み取り、当該識別子に対応する所持品の写真画像を表示装置の所持品チェックウインドに表示し、所持品との一致が確認されたときには、当該所持品を登録した登録テーブルのエントリを消し込むことを特徴とする。
【発明の効果】
【００１１】
本発明によれば、２次元バーコードの識別子と写真画像を対応付けて利用することで、写真画像に所持品の外観がそのまま保存されるため、所持品の外観を施設職員が文書に翻訳する必要が無く、入力の手間が大幅に削減できるという効果がある。また、退所の際に２次元バーコードを読むだけで、登録されている所持品の写真画像及び登録情報が表示されるため、施設職員は任意の順番で簡単に所持品のチェックができる。
本発明によれば、リストウインドには、消し込み済みであることを示すマークを縮小写真に付与することにより、未チェックの所持品が一目で判別できるという効果がある。
本発明によれば、ショートスティは数次回利用されることが通常であり、持ち込まれる所持品も同じ物である可能性が高いため、過去に登録テーブルに登録済みであれば、その写真画像をそのまま利用することができ施設職員の入力の手間が省けるとともに、入所者の入所手続きも短時間で終えることができるという効果がある。
【図面の簡単な説明】
【００１２】
【図１】老人保険施設の平面図である。
【図２】所持品管理実施するノートパソコンのブロック図である。
【図３】図３Ａは登録テーブルを示す図であり、図３Ｂは登録の様子を示す図である。
【図４】表示部における「入所登録モード」と「退所チェックモード」の表示内容を示す図である。
【図５】所持品管理アプリケーションのフロー図である。
【図６】表示部における「探索モード」の表示内容を示す図である。
【発明を実施するための形態】
【００１３】
本発明の実施の形態について図面を参照しながら説明する。
図１に、短期滞在施設として利用される施設の一例として老人保険施設の平面図を示した。老人保険施設には、入所者の為の４人部屋Ｃや個室Ｐに加え、リハビリテーション室Ｒ、食堂Ｄ、浴室（特殊浴室）Ｂ、洗濯室Ｌ、サービスステーションＳ、事務室Ａなどがある。サービスステーションＳでは、入所者が持ち込んだ薬を一括して管理する。事務室Ａには、貴重品を管理する金庫が設置されている。また、洗濯室Ｌは、入所者の洗濯物を洗濯する共用スペースである。
【００１４】
本実施例の所持品管理方法の手順は、計算機のアプリケーションソフトウエアとして記述されている。図２において、所持品管理方法の手順を実行する一般的なノートパソコンのブロック図が示されている。ノートパソコンは、制御部１と、揮発メモリ２と、記憶装置３と、表示部４、キー入力部５とを有している。カメラ６と２次元バーコードリーダ９は、ＵＳＢ等の外部バスを介してノートパソコンに接続される。制御部１は、キー入力部５から入力される指示等に応じてプログラム処理を実行し、各部への指示の出力やデータの転送等を行う。制御部１は、キー入力部５から入力された指示に基づいて、記憶装置３内に記憶されている所持品管理アプリケーション７を揮発メモリ２に展開し、実行するものである。２次元バーコードとして、本実施例においては、ＱＲコード（ＱＲコードは（株）デンソーウェーブの登録商標、以下同じ）を用いる。カメラ６は、入所者の所持品のフルカラーの写真画像を取得する。
【００１５】
記憶装置３は、所持品管理アプリケーション７及びこれに用いられる登録テーブル８を記憶している。図３に登録テーブル８を示す。登録テーブル８は、入所者名１１、入所日１２、退所日１３、搬入フラグ１４、ＱＲコードの識別子（ＩＤ）１５、所持品の写真画像１６、所持品名１７、預かり保管場所１８、付加情報１９、入力スタッフ名２０を保持するエントリ２１を所持品毎に有している。搬入フラグ１４は、施設に搬入中である所持品に対してセットされるフラグである。預かり保管場所１８には、入所者から所持品を預かったときに、保管場所が登録される。
【００１６】
図２に戻り、キー入力部５は施設職員により操作されるキーボードであり、所持品管理アプリケーション７を起動し、また、入所時の所持品の登録や退所時のチェックのために操作される。表示部４は、制御部１からの指示に従ってデータを表示するものであり、ＬＣＤ（Liquid Crystal Display）等で構成される。
【００１７】
次に、本装置の動作について説明する。
キー入力部５から所持品管理アプリケーション７を起動するよう指示が入力されると、制御部１は記憶装置３から所持品管理アプリケーション７を揮発メモリ２に展開して起動する。所持品管理アプリケーション７は、「入所登録モード」と「退所チェックモード」及び「探索モード」を有している。アプリケーションの起動時に動作モードの選択が可能である。
【００１８】
施設の利用者には入所の前にＱＲコードタグＴが渡されており、利用者の家族は施設に持ち込む全ての所持品にＱＲコードタグＴを１つずつ貼り付けておく。
まず、「入所登録モード」について、図３、図４Ａ及び図５Ａを参照して説明する。
入所の際には施設職員が、キー入力部５からの操作によって所持品管理アプリケーション７を起動し、「入所登録モード」を選択すると、表示部４に図４Ａに示すような所持品編集画面３０が表示される。所持品編集画面３０は、操作を行う施設職員名を入力するエリア３１、入所者名を入力するエリア３２、入所日／退所日を入力するエリア３３、写真画像を縮小して多数配置するリストウィンド３４を有している。また、リストウインド３４の右側には、個別の所持品の名称／写真画像／特記事項／預かりの別を入力する追加／編集ウインド３５を有している。追加／編集ウインド３５は、追加タブ３６もしくは編集タブ３７により追加／編集いずれかのモードが選択可能で有り、追加タブ３６をクリックすると新たな所持品の登録ができる。またリストウインド３４に表示された１つの所持品を選択状態にして編集タブ３７をクリックすると、当該所持品について登録テーブル８に登録してある情報の修正ができる（図４Ａでは「追加」を選択中）。
【００１９】
施設職員は、まず、施設職員名、入所者名、入所日／退所日等の書誌事項を入力する。所持品管理アプリケーション７は、必要な書誌事項が入力されたと判断して次のステップに移行する（Ｓ４１）。リストウインド３４に何も所持品が表示されていない状態で、追加タブ３６がクリックされると、所持品の登録が可能になる（Ｓ４２）。所持品の登録においては、まず、ＱＲコードの読み取り（Ｓ４３）、写真撮影（Ｓ４４）、付加情報等の入力（Ｓ４５）を行う。ＱＲコードの読み取り（Ｓ４３）では、２次元バーコードリーダ９によりＱＲコードタグＴ（図３Ｂ参照）が読み込まれる。このとき、登録テーブル８に既に登録された所持品がないかどうかがチェックされる（Ｓ４６）。写真撮影（Ｓ４４）では、施設職員が所持品をカメラ６の前に展開し、所持品の写真撮影を行うと、追加／編集ウインド３５に写真画像が表示される。付加情報等の入力（Ｓ４５）では、所持品の名称／メモ（特記事項）／預かりの有無を入力する。預かる場合は保管場所を入力する。これらはいずれの順番で行われても良い。全ての項目について入力をし、「戻る」３８をクリックすると、入力された情報は登録テーブル８のエントリ２１に新規登録される（Ｓ４７）。このとき、登録テーブル８の搬入フラグ１４がセットされる。所持品が登録されるとリストウインド３４に写真画像が縮小されて表示される。全ての項目の入力がされていないと、登録テーブル８への登録はされない。尚、付加情報等の入力（Ｓ４５）において、預かりが指定されるような所持品は薬や貴重品等で有り、これらは、別途、ＱＲコード付き透明袋が用意されて、夫々纏めて透明袋内に収容される。透明袋のＱＲコードが読まれ、透明袋全体の写真画像を撮影する。
【００２０】
本実施例によれば、写真画像を利用することで所持品の外観がそのまま保存されるため、所持品の外観を施設職員が文書に翻訳する必要が無く、入力の手間が大幅に削減できるという効果がある。
【００２１】
ステップＳ４６において、２次元バーコードリーダ９により読まれたＱＲコードが登録テーブルに既に登録されている場合、既に登録テーブル８に登録済みであった写真画像と所持品名と特記事項が読み出され、追加／編集ウインド３５に表示される。そのままで良ければ登録テーブル８の新たなエントリ２１に登録される。また修正をしたければ、写真画像を含めて修正することができる。
【００２２】
ショートスティは数次利用されることが通常であり、持ち込まれる所持品も同じ物である可能性が高いため、過去に登録テーブル８に登録済みであれば、その写真画像をそのまま利用することができ施設職員の入力の手間が省けるとともに、入所者の入所手続きも短時間で終えることができるという効果がある。
【００２３】
次に、所持品管理アプリケーション７の「退所チェックモード」について、図４Ｂ及び図５Ｂを用いて説明する。
施設職員は、「退所チェックモード」を選択して、表示部４に所有物チェック画面５０を表示させる。施設職員の名前がエリア５１に、退所日がエリア５３に、入所者名が利用者氏名エリア５２に入力されると、必要な書誌事項が入力されたと判断して所持品管理アプリケーション７は、当該入所者名に対応し、かつ搬入フラグ１４がセットされた所持品を読み出して、リストウインド５４に縮小された縮小写真を表示する（Ｓ６１）。
【００２４】
退所時に入所者が持ち出す所持品の一つを選択し、これに貼付されているＱＲコードタグＴのＩＤが２次元バーコードリーダ９により読み取られると（Ｓ６２）、当該ＩＤに対応した所持品チェックウインド５５に所持品名、付加情報、預かりの有無、写真画像を表示する（Ｓ６３）。ＱＲコードタグＴの読み込みにより、所持品チェックウインド５５に自動的に登録テーブル８の写真画像及び他の登録情報が表示されるため、施設職員は任意の順番で所持品のチェックが簡単にできる。
【００２５】
施設職員は、所持品チェックウインド５５に表示された情報と所持品との一致を確認し、一致したのならば「消込み」５９をクリックして消し込み登録を行う。消し込み登録では、リストウインド５４には、消し込み済みであることを示す表示（済）マークＣｈを縮小写真に上書きする（Ｓ６４）。これを繰り返すことにより、リストウインド５４の消し込みを行う。所持品管理アプリケーション７の終了時に消し込みが確定し、搬入フラグ１４をリセットすることにより、当該所持品のエントリ２１についての登録テーブル８上での消し込みが行われる。搬入フラグ１４のリセットを消し込みとして、当該所持品のエントリ２１を現実に抹消しないことにより、以降の再入所に対応して参照可能としておく。
【００２６】
所持品との一致が取れなかった場合は、「戻る」５８をクリックすると当該所持品については消し込まれていない状態のままとなる。最終的にリストウインド５４において、（済）マークＣｈが付与されていない所持品について、リストウインド５４にて写真画像が選択されると（Ｓ６５）、所持品チェックウインド５５に写真画像と所持品名と特記事項を読み出す（Ｓ６６）。写真画像は、確認が取れなかった所持品そのものを表す情報であり、これに基づき施設内を捜索することが可能となる。所持品の確認ができた場合には「消込み」５９をクリックされるので、先と同様にリストウインド５４には、消し込み済みであることを示す（済）マークＣｈを縮小写真に上書きする。所持品の確認ができた場合には「戻る」５８がクリックされるので、消し込み登録を行わない。（済）マークＣｈの付与により、未チェックの所持品が一目で判別できるという効果がある。
【００２７】
次に、所持品管理アプリケーション７の「探索モード」について図６を用いて説明する。「探索モード」は、ＱＲコードタグＴが脱落した物品が発見された場合、捨てられたＱＲコードタグＴが発見された場合等に用いられる。
【００２８】
施設職員は、「探索モード」を選択して、表示部４に探索画面７０を表示させる。「探索モード」では、所持品名又はＱＲコードタグＴのＩＤをキーにして所有者を探索する。所持品名は、ブロック７３で指定する。また、探索範囲としては、ブロック７１に現在施設内に滞在している在所者のチェックをする、若しくは、期間を指定することにより現在入所者／過去に入所していた退所者の選択ができる。これら探索範囲の選択は、登録テーブル８の入所日１２、退所日１３、搬入フラグ１４、所持品名１７、ＩＤ１５を用いることにより行う。
【００２９】
発見された所持品にＱＲコードタグが付着していれば、２次元バーコードリーダ９によりＱＲコードタグＴのＩＤを読み取ると、当該ＩＤをキーとして利用者氏名、所持品名、付加情報、預かりの有無、写真画像等を登録テーブル８から読み出し、該当物品エリア７５に表示する。読み取られたＩＤはエリア７２に表示される。所有者が表示されるので、当該所有者に所持品を返却する。また、ＱＲコードタグＴのみが発見された場合も同様のように、２次元バーコードリーダ９によりＱＲコードタグＴのＩＤを読み取れば、所有者およびどの様な所持品に付着していたものであるかを特定できるので、本人が現在所持している物の中にＱＲコードタグＴが取れた物が存在しているか、していなければ対応する物品の探索を施設内で行うことができる。
【００３０】
ＱＲコードタグＴが脱落した物品が発見された場合、所持品名をキー入力部５から入力すると、所持品名をキーとして同じ所持品名の物品を登録テーブル８から読み出し、それらの縮小写真をリストウインド７４に表示する。当該物品の特徴と似ている物があれば、縮小写真をクリックすることにより、対応する利用者氏名、所持品名、付加情報、預かりの有無、写真画像等を登録テーブル８から読み出し、該当物品エリア７５に表示する。写真画像により特徴が一致していれば、所有者が特定できる。違っていれば、戻る７６をクリックして他の縮小写真を参照する。このようにして、所有者を探索することができる。
【符号の説明】
【００３１】
１     制御部
２     揮発メモリ
３     記憶装置
４     表示部
５     キー入力部
６     カメラ
７     所持品管理アプリケーション
８     登録テーブル
９     ２次元バーコードリーダ
１１     入所者名
１２     入所日
１３     退所日
１４     搬入フラグ
１６     写真画像
１７     所持品名
１８     保管場所
１９     付加情報
２１     エントリ
３０     所持品編集画面
３４     リストウインド
３５     追加／編集ウインド
３６     追加タブ
３７     編集タブ
５０     所有物チェック画面
５４     リストウインド
５５     所持品チェックウインド
７０     探索画面
７４     リストウインド
７５     該当物品エリア
【図１】
2019125221.tif 000003
【図２】
2019125221.tif 000004
【図３】
2019125221.tif 000005
【図４】
2019125221.tif 000006
【図５】
2019125221.tif 000007
【図６】
2019125221.tif 000008